(57)【要約】      （修正有）【課題】地域経済を活性化し得るとともに、屋根の清掃が容易な、湿気に強い園芸ハウスを提供する。【解決手段】園芸ハウス１は、農作物を覆う園芸ハウスであって、複数の列において、それぞれ、所定間隔で配置された複数の柱１０と、複数の列において、それぞれ、複数の柱１０を連結する桁２０と、互いに対向する列において、一方の列の桁２０と、他方の列の桁２０とに支持され、屋根５０を支持する梁３０と、を備える。一方の列の桁２０は、他方の列の桁２０より高い位置に設けられ、柱１０、桁２０及び梁３０は、防腐加工された木材である。【選択図】図３
0003186170.tif 000002
【実用新案登録請求の範囲】
【請求項１】
農作物を覆う園芸ハウスであって、
複数の列において、それぞれ、所定間隔で配置された複数の柱と、
複数の前記列において、それぞれ、複数の前記柱を連結する桁と、
互いに対向する前記列において、一方の前記列の前記桁と、他方の前記列の前記桁とに支持され、屋根を支持する梁と、を備え、
一方の前記列の前記桁は、他方の前記列の前記桁より高い位置に設けられ、
前記柱、前記桁及び前記梁は、防腐加工された木材である園芸ハウス。
【請求項２】
前記列は、梁方向に順に配置され、互いに平行して桁方向に延る第１列、第２列及び第３列の少なくとも３列設けられ、
前記第２列の複数の前記柱は、第１の前記桁と、当該第１の前記桁より高い位置に設けられた第２の前記桁とが連結され、
前記第１の前記桁は、前記第１列の前記桁とで前記梁を支持し、前記第１列の前記桁より低い位置に設けられ、
前記第２の前記桁は、前記第３列の前記桁とで前記梁を支持し、
前記第１の前記桁と前記第１列の前記桁とに支持される前記梁には、前記第１の前記桁側の端部近傍において、作業者が歩行可能な雨樋が設けられている請求項１に記載の園芸ハウス。
【請求項３】
前記梁は、その端部近傍において、前記桁に支持されている請求項１又は２に記載の園芸ハウス。
【考案の詳細な説明】
【技術分野】
【０００１】
本考案は、園芸ハウスに関し、特に、農作物を覆う園芸ハウスに関する。
【背景技術】
【０００２】
従来、農作物を風雨や温度変化から守るため、農作物を覆う園芸ハウスが設けられている。
園芸ハウスは、構造材が、例えば、逆Ｕ字形状に形成され、この構造材にフィルム等のビニールシートが固定されている。また、園芸ハウスの構造材は、常に園芸ハウス内の湿気に晒されるため、湿気に強い素材で形成されている。
【０００３】
このような構造材を備える園芸ハウスとして、構造材としての骨組材と該骨組材の外壁に嵌合される固定具とからなり、骨組材は金属管に合成樹脂が被覆されてなり、骨組材と固定具とでフィルムを挟着する園芸ハウス提案されている（特許文献１参照）。
この特許文献１の園芸ハウスによれば、構造材である骨組材を、金属管に合成樹脂が被覆された素材により形成することで、湿気に強い園芸ハウスを提供できる。
【先行技術文献】
【特許文献】
【０００４】
【特許文献１】特開２０００−１１６２４７号公報
【考案の概要】
【考案が解決しようとする課題】
【０００５】
ところで、園芸ハウスは、森林が豊かな地域に建設される場合がある。このような地域において、林業は重要な産業であり、地場産の木材は、当該地域で利用されることで、地産地消のエコ資源となる。
また、地場産の木材（例えば、スギ材）の消費拡大は、林業の活性化につながり、山の維持管理費が捻出され、結果として山を守ることができる。また、地域内で生産された木材を、当該地域で購入し利用すれば、資金の大半が地域内で循環し、地域経済を活性化することができる。
【０００６】
また、園芸ハウスの屋根は、劣化を防止するため、清掃をする必要がある。ここで、特許文献１の園芸ハウスのように、構造材を逆Ｕ字形状に形成すると、屋根となるフィルム等の外装材も逆Ｕ字形状に形成される。この場合、一方の平側の屋根は一方の平側から清掃し、他方の平側の屋根は他方の平側から清掃することとなる。このため、一方の平側からは、全ての屋根を清掃することができず、屋根の清掃に多大な労力がかかっていた。
【０００７】
本考案は、地域経済を活性化し得るとともに、屋根の清掃が容易な、湿気に強い園芸ハウスを提供することを目的とする。
【課題を解決するための手段】
【０００８】
（１）  農作物を覆う園芸ハウスであって、
複数の列において、それぞれ、所定間隔で配置された複数の柱と、
複数の前記列において、それぞれ、複数の前記柱を連結する桁と、
互いに対向する前記列において、一方の前記列の前記桁と、他方の前記列の前記桁とに支持され、屋根を支持する梁と、を備え、
一方の前記列の前記桁は、他方の前記列の前記桁より高い位置に設けられ、
前記柱、前記桁及び前記梁は、防腐加工された木材である園芸ハウス。
【０００９】
（１）の構成によれば、複数の柱と、桁と、屋根を支持する梁と、を備える。
複数の柱は、複数の列において、それぞれ、所定間隔で配置されている。
桁は、複数の列において、それぞれ、複数の柱を連結する。
梁は、互いに対向する列において、一方の列の桁と、他方の列の桁とに支持されている。
そして、一方の列の桁は、他方の列の桁より高い位置に設けられている。
また、柱、桁及び梁は、防腐加工された木材である。
【００１０】
これにより、屋根を支持する梁は、一方の列側の端部から他方の列側の端部に向かって下り傾斜となる。よって、片流れ屋根を形成できるので、園芸ハウスの管理者等の作業者は、一方の列側に移動することなく、他方の列側から屋根全面を清掃することができるので、屋根の清掃を容易にすることができる。
【００１１】
また、柱、桁及び梁は、木材であるので、例えば、地場産の木材を使用することで、地産地消となり、地域経済を活性化できる。
また、木材は、防腐加工されているので、柱、桁及び梁の湿気による劣化を防止できる。
【００１２】
したがって、地域経済を活性化し得るとともに、屋根の清掃が容易な、湿気に強い園芸ハウスを提供できる。
【００１３】
また、特許文献１に記載されたような、従来の園芸ハウスは、柱、桁及び梁を設けず、簡易的な構造体により支持されているため、強風による倒壊のおそれがあり、台風等の強風時には、風の影響を少なくするため、外装材であるフィルムを剥がす必要があった。
しかしながら、（１）の構成によれば、柱、桁及び梁により強固な構造体とすることで、台風等の強風時であっても外装材や屋根を剥がす必要がなくなり、園芸ハウスの維持管理が容易になる。
【００１４】
（２）  前記列は、梁方向に順に配置され、互いに平行して桁方向に延る第１列、第２列及び第３列の少なくとも３列設けられ、
前記第２列の複数の前記柱は、第１の前記桁と、当該第１の前記桁より高い位置に設けられた第２の前記桁とが連結され、
前記第１の前記桁は、前記第１列の前記桁とで前記梁を支持し、前記第１列の前記桁より低い位置に設けられ、
前記第２の前記桁は、前記第３列の前記桁とで前記梁を支持し、
前記第１の前記桁と前記第１列の前記桁とに支持される前記梁には、前記第１の前記桁側の端部近傍において、作業者が歩行可能な雨樋が設けられている（１）に記載の園芸ハウス。
【００１５】
（２）の構成によれば、柱の列は、梁方向に順に配置され、互いに平行して桁方向に延びる第１列、第２列及び第３列の少なくとも３列設けられている。
第２列の複数の柱は、第１の桁と、第１の桁より高い位置に設けられた第２の桁とが連結されている。
そして、第１の桁は、第１列の桁とで梁を支持し、第１列の桁より低い位置に設けられている。また、第２の桁は、第３列の桁とで梁を支持する。
【００１６】
これにより、屋根を支持する梁は、第１列側の端部から第２列側の端部に向かって下り傾斜となり、第２列側の端部から第３列側の端部に向かって下り傾斜となる。よって、第１列側から第２列側に下り傾斜する片流れの第１屋根と、第２列側から第３列側にかけられた第２屋根と、を形成できる。
この場合、第１屋根は、平側から清掃するのが困難となる。
【００１７】
（２）の構成によれば、更に、第１の桁と第１列の桁とに支持される梁には、第１の桁側の端部近傍において、作業者が歩行可能な雨樋が設けられている。
これにより、作業者は、平側から清掃するのが困難である第１屋根を、雨樋から清掃することができる。
よって、複数の屋根が連なる園芸ハウスであっても、屋根の清掃を容易にすることができる。
【００１８】
（３）  前記梁は、その端部近傍において、前記桁に支持されている（１）又は（２）に記載の園芸ハウス。
【００１９】
ここで、台風等の強風時には、園芸ハウスの外壁面に吹き付けた風は、外壁面に沿って吹き上がる。この時、外壁面の上端に設けられた桁より屋根が突出していると、この屋根を吹き上げ、屋根が破損するおそれがある。
しかしながら、（３）の構成によれば、屋根を支持する梁の端部が、桁より平側に突出しないので、屋根が、外壁面に沿って吹き上がる風によって破損するのを防止できる。
よって、更に、台風等の強風に強い園芸ハウスを提供できる。
【考案の効果】
【００２０】
本考案によれば、地域経済を活性化し得るとともに、屋根の清掃が容易な、湿気に強い園芸ハウスを提供できる。
【図面の簡単な説明】
【００２１】
【図１】本考案の一実施形態に係る園芸ハウスの柱の配置を示す平面図である。
【図２】前記実施形態に係る園芸ハウスの屋根伏図である。
【図３】図２に示す前記実施形態に係る園芸ハウスのＡＡ’断面図である。
【図４】前記実施形態に係る園芸ハウスにおける雨樋の詳細を示す図である。
【考案を実施するための形態】
【００２２】
本考案の実施形態に係る園芸ハウス１の構成を図面に基づいて説明する。
図１は、本考案の一実施形態に係る園芸ハウス１の柱の配置を示す平面図である。
図１中、黒塗りの四角は、柱１０を示し、点線の四角は、園芸ハウス１の外形を示し、破線の四角は耕作面を示す。
園芸ハウス１は、農作物を覆い、農作物が耕作された耕作面を囲うように配置された、複数の柱１０を備える。
複数の柱１０は、Ｘ１列、Ｘ２列及びＸ３列の複数の列において、それぞれ、所定間隔（例えば、１９００ｍｍ間隔）で配置されている。
Ｘ１列、Ｘ２列及びＸ３列は、互いに平行して桁方向に延び、梁方向に所定間隔（例えば、５７００ｍｍ間隔）で配置されている。また、柱１０は、妻側においては、Ｘ１列、Ｘ２列及びＸ３列の各列の間に、更に設けられている。
おな、本実施形態において、複数の柱１０の列は、３列であるが、２列や４列等、耕作面の大きさに応じた任意の数とすることができる。
【００２３】
図２は、前記実施形態に係る園芸ハウス１の屋根伏図である。
園芸ハウス１は、複数の柱１０（図１参照）と、Ｘ１列、Ｘ２列及びＸ３列において、それぞれ、複数の柱１０を連結する桁２０と、互いに対向する列において、一方の列の桁２０と、他方の列の桁２０とに支持されている梁３０と、互いに対向する梁３０の間に設けられ桁方向に延びるヤラズ４０と、梁３０及びヤラズ４０に支持された屋根５０と、を備える。
【００２４】
図３は、図２に示す前記実施形態に係る園芸ハウス１のＡＡ’断面図である。
柱１０は、地中に下方側の一部が打ち込まれた杭１１の天端（例えば、地盤面から３００ｍｍの位置）に固定された根太１２の上に下端が固定されている。柱１０は、例えば、断面が１０５ｍｍ×１０５ｍｍの木材で形成されている。
また、柱１０の天端の高さは、Ｘ１列及びＸ２列の柱１０は同じ高さであり、Ｘ３列の柱１０はＸ１列及びＸ２列の柱１０に比べ低い。具体的には、Ｘ１列及びＸ２列の柱１０の高さは３５００ｍｍであり、Ｘ３列の柱１０の高さは２０００ｍｍである。
なお、柱の高さは、耕作面において栽培される植物の成長時の高さに応じて、任意の高さとすることができる。
【００２５】
桁２０は、桁方向（図２参照）に延びて、複数の柱１０を連結する。桁２０は、例えば、断面が１０５ｍｍ×１０５ｍｍの木材で形成されている。
具体的には、梁方向（図２参照）端部の列であるＸ１列及びＸ３列における桁２０は、複数の柱１０の上端に底面が固定されている。
また、梁方向中間部の列であるＸ２列における桁２０は、Ｘ３列における桁２０と同じ高さに設けられた第１の桁２１と、第１の桁２１より高い位置であり、Ｘ１列における桁２０と同じ高さに設けられた第２の桁２２とを備える。
第１の桁２１は、Ｘ２列における複数の柱１０の側面に側面が固定されている。また、第２の桁２２は、Ｘ２列における複数の柱１０の上端に底面が固定されている。
【００２６】
梁３０は、その両端部近傍が、桁２０に支持されている。梁３０は、例えば、断面が９０ｍｍ×１５０ｍｍの木材で形成されている。
具体的には、Ｘ１列及びＸ２列間に設けられる梁３０は、その両端部近傍がそれぞれ、Ｘ１列の桁２０とＸ２列の第１の桁２１に固定されている。また、Ｘ２列及びＸ３列間に設けられる梁３０は、その両端部近傍がそれぞれ、Ｘ２列の第２の桁２２とＸ３列の桁２０とに固定されている。即ち、第１の桁２１は、Ｘ１列の桁２０とで梁３０を支持し、Ｘ１列の桁２０より低い位置に設けられている。また、第２の桁２２は、Ｘ３列の桁２０とで梁３０を支持する。
【００２７】
ヤラズ４０は、梁３０とともに屋根５０を支持する。ヤラズ４０は、例えば、断面が６０ｍｍ×９０ｍｍの木材で形成されている。
【００２８】
屋根５０は、その素材がフィルムや塩化ビニル製の波板により形成されている。例えば、屋根５０は、その素材がフィルムの場合、フィルムを挟持する金物が梁３０の上面に固定され、この金物によりフィルムを挟持することで形成されている。また、屋根５０は、その素材が塩化ビニル製の波板の場合、塩化ビニル製の波板を梁３０及びヤラズ４０に固定することで形成されている。
【００２９】
上記の構成によれば、図２に示すように、Ｘ１列側からＸ２列側に下り傾斜する片流れの第１屋根５１と、Ｘ２列側からＸ３列側に下り傾斜する片流れの第２屋根５２と、を形成できる。
【００３０】
柱１０、桁２０、梁３０及びヤラズ４０は、防腐加工された木材で形成されている。防腐加工は、例えば、防腐材を木材の表面に塗布したり、防腐剤を木材内部に加圧注入したりする。
【００３１】
また、園芸ハウス１は、更に、雨樋６０と、登り受け７０と、外装８０と、内張り天井架台９０と、を備える。
【００３２】
雨樋６０は、第１の桁２１とＸ１列の桁２０とに支持される梁３０において、第１の桁２１側の端部近傍に形成されている。
図４は、前記実施形態に係る園芸ハウス１における雨樋６０の詳細を示す図である。
雨樋６０は、第１支持部材６１と、第２支持部材６２と、板材６３と、を備える。
第１支持部材６１は、Ｘ２列の柱１０の側面に、その側面が固定された角材である。
第２支持部材６２は、梁３０の上面に、その底面が固定された角材である。
【００３３】
板材６３は、Ｘ２列側端部の底面が第１支持部材６１に支持され、中央部が第２支持部材６２に支持され、Ｘ１列側（図３参照）端部が梁３０に支持されている。
また、板材６３は、Ｘ２列側端部が上方に屈曲され、この屈曲された部分が柱１０と外装８０とに挟持され、Ｘ１列側端部が、梁３０の傾斜に沿って屈曲され、この屈曲された部分が梁３０と屋根５０とに挟持されている。
また、板材６３は、ガルバニュウム鋼板で形成されているが、これに限らず、ステンレス鋼板等、耐食性を有する任意の鋼板を用いることができる。
【００３４】
このように、雨樋６０は、鋼板である板材６３を、第１支持部材６１、第２支持部材６２及び梁３０により支持することで、作業者が歩行することが可能となる。
また、雨樋６０における水平部分の幅は、例えば、４００ｍｍで形成されているが、この幅は、作業者が歩行可能な幅であれば、園芸ハウスが建設される地域の降雨量に応じた寸法とすることができる。
【００３５】
図３に戻って、登り受け７０は、一方の端部が柱１０の中央部に固定され、他方の端部が梁３０の中央部に固定されている。即ち、登り受け７０は、方杖であり、例えば、断面が３０ｍｍ×９０ｍｍの木材で形成されている。
【００３６】
外装８０は、柱１０の外面に設けられ、その素材がフィルムや塩化ビニル製の波板により形成されている。
また、外装８０には、最上部、即ち、柱１０の天端から所定範囲（例えば、５００〜１０００ｍｍ）において、換気窓となる開閉可能な部分が設けられている。
【００３７】
ここで、夏季栽培時には、園芸ハウス内において、屋根近傍に熱気が溜まる。上記実施形態によれば、外装８０の最上部を換気窓とすることで、自然換気がスムーズになり、換気機能が向上する。
【００３８】
内張り天井架台９０は、両端が柱１０に支持され、中央部が梁３０から垂らされた吊り部材（例えば、紐状体）により吊られている。内張り天井架台９０は、例えば、耕作面において栽培される植物がつる植物である場合、地盤面から延びて、つるを支持する支持部材の上端が固定される。
【００３９】
このように本実施形態の園芸ハウス１によれば、屋根５０を支持する梁３０は、Ｘ１列側の端部からＸ２列の端部及びＸ２列側の端部からＸ３列の端部に向かって下り傾斜となる。よって、片流れ屋根を形成できるので、園芸ハウスの管理者等の作業者は、一方の列側に移動することなく、他方の列側から屋根全面を清掃することができるので、屋根の清掃を容易にすることができる。
【００４０】
また、柱１０、桁２０及び梁３０は、木材であるので、例えば、地場産の木材を使用することで、地産地消となり、地域経済を活性化できる。
また、木材は、防腐加工されているので、柱、桁及び梁の湿気による劣化を防止できる。
【００４１】
したがって、地域経済を活性化し得るとともに、屋根の清掃が容易な、湿気に強い園芸ハウスを提供できる。
【００４２】
また、本実施形態の園芸ハウス１によれば、簡易的な構造体により支持される従来の園芸ハウスと異なり、柱１０、桁２０及び梁３０による強固な構造体とすることで、台風等の強風時であっても外装材や屋根を剥がす必要がなくなり、園芸ハウスの維持管理が容易になる。
なお、例えば、互いに隣接する柱１０間における垂直面や、屋根が形成された面に平行する面において、筋交いを設けてもよい。これにより、更に強固な構造体とすることができる。また、本実施形態の園芸ハウス１は、桁方向に長い建造物であり、外力による応力が、桁方向の端部及び中央部に集中する。そこで、この応力が集中する桁方向の端部及び中央部において、他の部分に比べ、より多くの筋交いを設けることで、更に強固な構造体とすることができる。
【００４３】
また、本実施形態の園芸ハウス１によれば、第１の桁２１とＸ１列の桁２０とに支持される梁３０には、第１の桁２１側の端部近傍において、作業者が歩行可能な雨樋６０が設けられている。
これにより、作業者は、平側から清掃するのが困難である第１片流れ屋根５１を、雨樋６０から清掃することができる。
よって、複数の屋根が連なる園芸ハウスであっても、屋根の清掃を容易にすることができる。
なお、本実施形態において、屋根５０を支持する梁３０は、Ｘ２列側の端部からＸ３列の端部に向かって下り傾斜となるように構成したが、例えば、Ｘ２列側の端部からＸ３列の端部に向かって下り傾斜となるように構成してもよい。この場合、第２屋根５２も雨樋６０に向かって下り傾斜する。これによりに、雨樋６０から、第１屋根５１に加え、第２屋根５２も清掃することができるので、更に作業効率が向上する。
【００４４】
また、屋根５０を支持する梁３０の端部が、桁２０より平側に突出しないので、屋根５０が、外装８０に沿って吹き上がる風によって破損するのを防止できる。
よって、更に、台風等の強風に強い園芸ハウスを提供できる。
【００４５】
なお、本考案は前記実施形態に限定されるものではなく、本考案の目的を達成できる範囲での変形、改良等は本考案に含まれるものである。
【符号の説明】
【００４６】
１    園芸ハウス
１０  柱
２０  桁
５０  屋根
３０  梁
【図１】
0003186170.tif 000003
【図２】
0003186170.tif 000004
【図３】
0003186170.tif 000005
【図４】
0003186170.tif 000006